(57)【特許請求の範囲】
【請求項１】
上部断面が背面から上面にかけて略円弧状の洗浄槽と、被洗浄物を収納すると共に前記洗浄槽内に上下に配設された上段食器かご及び下段食器かごと、前記洗浄槽の下方に回転自在に配され複数の洗浄水噴射口を有する回転洗浄ノズルと、前記洗浄槽の背面から上面にかけて沿うように配設された固定洗浄ノズルとを備え、前記固定洗浄ノズルは、垂直部位と、略水平方向に延設され複数の洗浄水噴射口を配列した第１の水平部位と、前記第１の水平部位の前方かつ上方で略水平方向に延設され複数の洗浄水噴射口を配列した第２の水平部位とを有し、前記第１の水平部位を前記下段食器かごより上方かつ前記上段食器かごの下方に、前記第２の水平部位を前記上段食器かごの上方に配置した食器洗い機。
【請求項２】
第１の水平部位と第２の水平部位とを連通させると共に、第２の水平部位に配列された洗浄水噴射口から噴射される洗浄水の噴射圧力と、第１の水平部位に配列された洗浄水噴射口から噴射される洗浄水の噴射圧力とで圧力差を設けた請求項１に記載の食器洗い機。
【請求項３】
垂直部位の流路内に、第１の水平部位と第２の水平部位とを分流する仕切りを設けて、第１の水平部位に配列された洗浄水噴射口から噴射される洗浄水の噴射圧力と、第２の水平部位に配列された洗浄水噴射口から噴射される洗浄水の噴射圧力とで圧力差を設けた請求項２に記載の食器洗い機。
【請求項４】
第１の水平部位に配列された洗浄水噴射口から噴射される洗浄水の噴射圧力を、第２の水平部位に配列された洗浄水噴射口から噴射される洗浄水の噴射圧力より高く設定した請求項２又は３に記載の食器洗い機。
【請求項５】
固定洗浄ノズルに連通すると共に回転自在の回転洗浄ノズルを、上段食器かごと下段食器かごとの間に配設した請求項１〜４のいずれか１項に記載の食器洗い機。
【発明の詳細な説明】
【技術分野】
【０００１】
本発明は、洗浄水を噴射して、洗浄槽内に収容した食器類などの被洗浄物を洗浄する食器洗い機に関するものである。
【背景技術】
【０００２】
従来、この種の一般家庭用の食器洗い機は、洗浄槽内に設置した食器かごに並べられた食器などの被洗浄物に洗浄水を噴射して洗浄するものが用いられてきた。このとき、食器かごに並べられた多数の被洗浄物に満遍なく洗浄水が噴射されるように、洗浄水を噴射する洗浄ノズルの配置が重要な要素となる。特に、洗浄槽内に多数の被洗浄物が収容できるように食器かごを複数段に設けた場合には、各段の被洗浄物に対して洗浄水が均等に噴射される必要があるが、下方から噴射された洗浄水は、下段に並べられた被洗浄物が障害となって、上段に配置された食器かごに収容された被洗浄物に充分に行き渡らず、上段に収容された被洗浄物に対する洗浄能力が低下することになる。
【０００３】
これらの問題を解決するために、洗浄槽内に、多方向から被洗浄物に洗浄水を噴射できるように複数の洗浄ノズルを配置した食器洗い機が知られている（例えば、特許文献１参照）。
【０００４】
図６は、上記特許文献１に開示された食器洗い機の断面図である。
【０００５】
この種の食器洗い機では、図６に示すように、複数の洗浄ノズルとして、洗浄槽１０６の下方に回転洗浄ノズル１０１、１０２が、洗浄槽１０６の側壁に固定洗浄ノズル１０３がそれぞれ配設されている。洗浄槽１０６の底部の洗浄水は、洗浄ポンプ１０４によって吸い上げられると共に分水手段１０５を経て、回転洗浄ノズル１０１、１０２、固定洗浄ノズル１０３に供給される。
【０００６】
上記構成により、固定洗浄ノズル１０３の水平部位に設けられた複数の洗浄水噴射口１０３ａから噴射される洗浄水により、上段に収容された被洗浄物１０７に洗浄水が噴射されるので、上段の食器かご１０８に収容された被洗浄物１０７に対する洗浄効果を向上させることができる。
【０００７】
また、固定洗浄ノズル１０３の上方に設けられた洗浄水噴射口１０３ａは被洗浄物１０７に対して上方から洗浄水を噴射するので、下向きに収容されて水平部位の洗浄水噴射口１０３ａからの洗浄水が当たり難い上部にも洗浄水が噴射され、特に糸底のある湯飲み茶碗のような食器の糸底に溜まりやすい細かい残菜が洗い出される効果を奏する。
【特許文献１】特開２００４−２６７６６１号公報
【発明の開示】
【発明が解決しようとする課題】
【０００８】
しかしながら、このような従来の食器洗い機においては、固定洗浄ノズル１０３の上方に設けられた洗浄水噴射口１０３ａで上段に配置された被洗浄物１０７を洗浄した場合、洗浄水は１箇所のみから噴射されるため、被洗浄物１０７が障害となり被洗浄物１０７全体に洗浄水を満遍なく当てることができない場合がある。また、洗浄槽１０６の背面より洗浄水を噴射しているため、食器かご１０８の前部に収容した被洗浄物１０７と後部に収容した被洗浄物１０７とで洗浄性能に差が出るなど、充分な洗浄性能が得られないという課題があった。
【０００９】
本発明は、上記従来の課題を解決するもので、被洗浄物に満遍なく洗浄水を供給することができ、高い洗浄性能を有する食器洗い機を提供することを目的としている。
【課題を解決するための手段】
【００１０】
上記従来の課題を解決するために、本発明の食器洗い機は、上部断面が背面から上面にかけて略円弧状の洗浄槽と、被洗浄物を収納すると共に前記洗浄槽内に上下に配設された上段食器かご及び下段食器かごと、前記洗浄槽の下方に回転自在に配され複数の洗浄水噴射口を有する回転洗浄ノズルと、前記洗浄槽の背面から上面にかけて沿うように配設された固定洗浄ノズルとを備え、前記固定洗浄ノズルは、垂直部位と、略水平方向に延設され複数の洗浄水噴射口を配列した第１の水平部位と、前記第１の水平部位の前方かつ上方で略水平方向に延設され複数の洗浄水噴射口を配列した第２の水平部位とを有し、前記第１の水平部位を前記下段食器かごより上方かつ前記上段食器かごの下方に、前記第２の水平部位を前記上段食器かごの上方に配置したもので、上段食器かご上に収容された被洗浄物を上方に設けられた洗浄水噴射口から洗浄する場合に、被洗浄物に対し、より前方から洗浄水を噴射できるため、被洗浄物の収容位置による洗浄性能の差を少なくできる。また、洗浄水噴射口を複数設けたことで、被洗浄物の設置数や設置状態によらず、洗浄水を満遍なく供給することができ、高い洗浄性能を確保することができる。
【発明の効果】
【００１１】
本発明の食器洗い機は、被洗浄物に満遍なく洗浄水を供給することができ、高い洗浄性能を有するものである。
【発明を実施するための最良の形態】
【００１２】
第１の発明は、上部断面が背面から上面にかけて略円弧状の洗浄槽と、被洗浄物を収納すると共に前記洗浄槽内に上下に配設された上段食器かご及び下段食器かごと、前記洗浄槽の下方に回転自在に配され複数の洗浄水噴射口を有する回転洗浄ノズルと、前記洗浄槽の背面から上面にかけて沿うように配設された固定洗浄ノズルとを備え、前記固定洗浄ノズルは、垂直部位と、略水平方向に延設され複数の洗浄水噴射口を配列した第１の水平部位と、前記第１の水平部位の前方かつ上方で略水平方向に延設され複数の洗浄水噴射口を配列した第２の水平部位とを有し、前記第１の水平部位を前記下段食器かごより上方かつ前記上段食器かごの下方に、前記第２の水平部位を前記上段食器かごの上方に配置したもので、上段食器かご上に収容された被洗浄物を上方に設けられた洗浄水噴射口から洗浄する場合に、被洗浄物に対し、より前方から洗浄水を噴射できるため、被洗浄物の収容位置による洗浄性能の差を少なくできる。また、洗浄水噴射口を複数設けたことで、被洗浄物の設置数や設置状態によらず、洗浄水を満遍なく供給することができ、高い洗浄性能を確保することができる。
【００１３】
第２の発明は、特に、第１の発明の第１の水平部位と第２の水平部位とを連通させると共に、第２の水平部位に配列された洗浄水噴射口から噴射される洗浄水の噴射圧力と、第１の水平部位に配列された洗浄水噴射口から噴射される洗浄水の噴射圧力とで圧力差を設けたもので、例えば、被洗浄物の汚れが少なく、高い噴射圧力を必要としない部位については噴射圧力を低くすることで、洗浄水を送るポンプの能力に対し、より多くの洗浄水噴射口を配設することが可能となり、被洗浄物を満遍なく洗浄水することができる。
【００１４】
第３の発明は、特に、第２の発明の垂直部位の流路内に、第１の水平部位と第２の水平部位とを分流する仕切りを設けて、第１の水平部位に配列された洗浄水噴射口から噴射される洗浄水の噴射圧力と、第２の水平部位に配列された洗浄水噴射口から噴射される洗浄水の噴射圧力とで圧力差を設けたもので、固定洗浄ノズルの経路を複雑にすることなく、洗浄水を送るポンプの能力に対し、より多くの洗浄水噴射口を配設することが可能となり、被洗浄物を満遍なく洗浄水することができる。
【００１５】
第４の発明は、特に、第２又は第３の発明の第１の水平部位に配列された洗浄水噴射口から噴射される洗浄水の噴射圧力を、第２の水平部位に配列された洗浄水噴射口から噴射される洗浄水の噴射圧力より高く設定したもので、汚れの多い内面へ向けて洗浄水を噴射する第１の水平部位での噴射圧力を高く設定することで、洗浄性能を向上させることができる。
【００１６】
第５の発明は、特に、第１〜４のいずれか一つの発明の固定洗浄ノズルに連通すると共に回転自在の回転洗浄ノズルを、上段食器かごと下段食器かごとの間に配設したもので、上段食器かご上で様々な食器が置かれるような箇所については、追加された回転洗浄ノズルにより洗浄を行い、ある程度食器の種類や設置姿勢が定まった箇所については、固定洗浄ノズルにより洗浄を行うことで、洗浄性能を確保すると共に、省スペース可を図ることができる。
【００１７】
以下、本発明の実施の形態について、図面を参照しながら説明する。また、この実施の形態によって本発明が限定されるものではない。
【００１８】
（実施の形態１）
本発明の第１の実施の形態における食器洗い機について、図１〜５を用いて説明する。
【００１９】
図１は、本発明の実施の形態１における食器洗い機の正面から見た断面図、図２は、同食器洗い機の側面から見た断面図である。
【００２０】
図１、２において、食器洗い機本体１（以下、「本体１」という）には、上部断面が背面から上面にかけて略円弧状に膨出した洗浄槽２が内包され、その洗浄槽２内には、被洗浄物１０を収容する下段食器かご８および上段食器かご９がそれぞれ前後方向に引き出しできるように配設されている。上段食器かご９は、左側を右側に比べ一段低い位置に配設することで、左側を様々な被洗浄物１０が置けるスペースとしており、一方、上段食器かご９右側については主にコップや湯飲みといった円筒形状の被洗浄物１０を置くスペースとしている。
【００２１】
また、洗浄槽２の下方には、洗浄水を噴射する第１の回転洗浄ノズル３および第２の回転洗浄ノズル４が配設され、洗浄槽２の背面には、洗浄槽２の内壁に沿わせた形状の固定洗浄ノズル５が配設されている。固定洗浄ノズル５の右側には、第１の水平部位５ｂおよび第２の水平部位５ｃがそれぞれ延設される。さらに固定洗浄ノズル５の左側には、第３の水平部位５ｄが延設され、第３の水平部位５ｄより前方へ延設した回転洗浄ノズル導水路６が接続され、上段食器かご９の左側下方の位置に、回転洗浄ノズル導水路６に接続された第３の回転洗浄ノズル７が配設される。
【００２２】
洗浄槽２内に収容された被洗浄物１０に対して前記第１の回転洗浄ノズル３、第２の回転洗浄ノズル４、固定洗浄ノズル５および固定洗浄ノズル５と連通した第３の回転洗浄ノズル７から洗浄水を噴射することにより、被洗浄物１０が洗浄される。
【００２３】
洗浄槽２の底部には、洗浄ポンプ１１の吸い込み側に連通した排水口１２が設けられ、排水口１２には、残菜を収集する残菜フィルタ１３と、洗浄水を加熱するヒータ１４とが配設されている。残菜フィルタ１３を透過した洗浄水は、洗浄ポンプ１１に吸い込まれて加圧され、分水手段１５によって第１および第２の各回転洗浄ノズル３、４、固定洗浄ノズル５および、固定洗浄ノズル５と連通した第３の回転洗浄ノズル７に供給され、それらから洗浄水が噴射される。
【００２４】
上記のように構成された本実施の形態における食器洗い機１の動作は、以下の通りである。
【００２５】
扉１６を開いて、皿などの被洗浄物１０を収容した下段食器かご８および上段食器かご９を洗浄槽２内に収容し、洗剤が投入されて扉１６により洗浄槽２が閉じられると運転を開始して、洗浄工程、すすぎ工程、乾燥工程の順に実行する。
【００２６】
まず、給水弁（図示せず）が動作して、所定量の洗浄水が洗浄槽２内に給水される。給水された洗浄水はヒータ１４によって加熱され、洗浄ポンプ１１によって加圧されて分水手段１５から第１、第２の各回転洗浄ノズル３、４、固定洗浄ノズル５および固定洗浄ノズル５と連通した第３の回転洗浄ノズル７に選択的に洗浄水が送給される。
【００２７】
ここでは、分水手段１５は、第１の回転洗浄ノズル３、第１の回転洗浄ノズル３と第２の回転洗浄ノズル４、第２の回転洗浄ノズル４、固定洗浄ノズル５とそれに連通した第３の回転洗浄ノズル７の順に所定時間毎に洗浄水の送給を切り替えるように動作する。第１、第２および第３の回転洗浄ノズル３、４、７は、送給された洗浄水がそれぞれの洗浄水噴射口３ａ、４ａ、７ａから噴出する噴流によって回転し、回転移動する洗浄水を噴射して下段食器かご８および上段食器かご９に収容された被洗浄物１０を洗浄する。
【００２８】
また、固定洗浄ノズル５は、上段食器かご９の下に設けられた第１の水平部位５ｂに配列された洗浄水噴射口２０ｂから洗浄水を主に上段食器かご９の右側に噴射して下向きに収容された被洗浄物１０の内面を洗浄すると共に、第２の水平部位５ｃに配列された洗浄水噴射口２０ｃから洗浄水を噴射することにより被洗浄物１０の外面を洗浄する。さらに固定洗浄ノズル５と連通した第３の回転洗浄ノズル７は上段食器かご９の主に左側を洗浄する。
【００２９】
従来、固定洗浄ノズル５を用いて、上段食器かご９に収容された被洗浄物１０の洗浄を行う場合、様々な食器形状や設置姿勢に対し、安定した洗浄性能を保つことが困難であったが、本実施の形態によれば、様々な被洗浄物１０が置けるスペースとした上段食器かご９の左側下方に第３の回転洗浄ノズル７を配設することで、様々な食器形状や設置姿勢に対し、洗浄水をムラなく当てることができ、洗浄性能を保つことができる。
【００３０】
また、第３の回転洗浄ノズル７を追加することによる被洗浄物１０の設置性については、回転洗浄ノズル導水路６を後方から前方へと洗浄槽２中央に向けて延設することにより、被洗浄物１０設置時に邪魔になることがなく、被洗浄物１０の設置の容易性を維持している。
【００３１】
一方、上段食器かご９の右側については、主に、コップや湯飲みといった円筒状の被洗浄物１０を設置するスペースとしており、ある程度設置姿勢や食器形状が定まるため、固定洗浄ノズル５でも洗浄性能を確保することができ、省スペース化を図っている。さらに、上段食器かご９右側の上下に第１、第２の水平部位５ｂ、５ｃを配設したことにより、上段食器かご９の右側へ設置した被洗浄物１０に対し、被洗浄物１０の設置位置によらず満遍なく洗浄水を噴射することができ、被洗浄物１０の内面・外面の両方を効果的に洗浄することができる。
【００３２】
洗浄槽２内で、第１、第２および第３の各回転洗浄ノズル３、４、７および固定洗浄ノズル５から噴射された洗浄水は被洗浄物１０を洗浄して洗浄槽２の下部に流下し、排水口１２に集められて再びヒータ１４によって加熱され、残菜フィルタ１３を透過して再び洗浄ポンプ１１から分水手段１５を経て第１および第２の回転洗浄ノズル３、４、固定洗浄ノズル５およびそれと連通した第３の回転洗浄ノズル７に送給される。洗浄水が噴射されて被洗浄物１０から脱落した残菜は残菜フィルタ１３で捕集される。また洗浄水の温度は温度センサ１７によって検出されており、所定温度を超えるとヒータ１４への通電が停止されるので、洗浄に適した温度が維持される。
【００３３】
所定時間の洗浄工程が終了すると、汚れを含む洗浄水は排水ポンプ１８から機外に排出され、洗浄槽２内に新たに洗浄水が給水される。給水された洗浄水は洗浄ポンプ１１の運転により第１および第２の回転洗浄ノズル３、４、固定洗浄ノズル５および固定洗浄ノズル５と連通した第３の回転洗浄ノズル７から噴射され、被洗浄物１０に付着した洗剤や残菜等洗い流すすすぎ工程が実行される。
【００３４】
このすすぎ工程は、所定時間の運転の後、すすぎによって洗剤や残菜を洗い出した洗浄水は、排水ポンプ１８から機外に排出され、洗浄槽２内には新たな洗浄水が給水され、再びすすぎ動作を行う工程を３回実行し、洗浄水を機外に排出してすすぎ工程を終了する。
【００３５】
続いて乾燥工程が実行され、図示しない送風機から洗浄槽２内に送給される外気がヒータ１４によって加熱され、送風と加温との両方の効果によって被洗浄物１０に付着した水滴の蒸発が促進される。この乾燥工程が所定時間実施された後、運転が停止されて被洗浄物１０の洗浄のすべての工程が終了する。
【００３６】
上記各工程における洗浄槽２内への洗浄水の給水制御、洗浄ポンプ１１および排水ポンプ１８の駆動制御、温度センサ１７による温度検出に基づくヒータ１４への通電制御、乾燥工程における送風機の駆動制御などは、食器洗い機本体１内に設けられた図示しない制御装置によって実施される。
【００３７】
図３は、洗浄槽２内から下段食器かご８および上段食器かご９を外部に取り出した状態を示すもので、固定洗浄ノズル５および固定洗浄ノズル５と連通した第３の回転洗浄ノズル７の形態をわかりやすく示している。固定洗浄ノズル５は、扁平筒状に形成された垂直部位５ａから第１の水平部位５ｂ、第２の水平部位５ｃ、第３の水平部位５ｄがそれぞれ延設され、垂直部位５ａの下端は分水手段１５に接続されている。第１の水平部位５ｂと第３の水平部位５ｄは、上段食器かご９が左右で高さが異なる段差を設けた形状に形成されていることに対応して、高さ位置が異なる。
【００３８】
また、第３の水平部位５ｄには、固定洗浄ノズル５から前方へ延設した回転洗浄ノズル導水路６が接続され、上段食器かご９左側下方中央付近に第３の回転洗浄ノズル７が配設される。また、回転洗浄ノズル導水路６は、後述するように、固定洗浄ノズル５と着脱可能に接続されており、下段食器かご８の左側に高さの高い被洗浄物１０などを収容する場合には回転洗浄ノズル導水路６を取り外すことにより、下段食器かご８への被洗浄物１０の設置性を高めることができる。また、回転洗浄ノズル導水路６を接続する接続部５ｆには、回転洗浄ノズル導水路６を取り外した時に水密性を保つ蓋部（図示せず）を設けてあり、回転洗浄ノズル導水路６を取り外して使用する場合に、固定洗浄ノズル５の噴射圧を確保することができる。
【００３９】
次に、図４を用いて、固定洗浄ノズル５と回転洗浄ノズル導水路６との接続構成を詳しく説明する。
【００４０】
図４において、回転洗浄ノズル導水路６は、９０度毎に爪部６０ａが４ヶ所設けられ、一方、固定洗浄ノズル５の接続部５ｆには爪部６０ａに対応した溝部５０ａが４ヶ所配設されている。爪部６０ａと溝部５０ａとを前方から穴位置を合わせて挿入したのち、右方向に約１５度回転させて、回転洗浄ノズル導水路６と固定洗浄ノズル５を係止する。また、回転洗浄ノズル導水路６を円筒形状とすることで、上面への水滴の付着をなくし、乾燥性能を向上させている。
【００４１】
固定洗浄ノズル５の第１水平部位５ｂには、上段食器かご９に収容された被洗浄物１０の内面に洗浄水を噴射する洗浄水噴射口２０ｂが複数開口し、上段食器かご９に収容された被洗浄物１０の内面に向けて上方に洗浄水を噴射する。また、第２の水平部位５ｃにも洗浄水噴射口２０ｃが複数開口し、被洗浄物１０の外面に向けて洗浄水を噴射する。また、洗浄水噴射口２０ｃは扇状に洗浄水を噴射し、上段食器かご９の右側に満遍なく洗浄水を供給している。
【００４２】
尚、第１の水平部位５ｂに設けられた複数の洗浄水噴射口２０ｂのそれぞれは、必ずしも上向きに洗浄水を噴射するのではなく、例えば、箸やスプーン等の収容場所に近い噴出口２０ｂは、横向きに洗浄水を噴射して汚れを落とし難い箸やスプーンなどに重点的に洗浄水を噴射するようにしてもよい。なお、第１の水平部位５ｂは、上段食器かご９が段差のないものである場合には、左右で高さ位置が異なる形状にする必要はない。
【００４３】
第３の回転洗浄ノズル７の上面には、上段食器かご９の左側に収容された被洗浄物１０に下方から洗浄水を噴射する洗浄水噴射口７ａが複数開口し、上段食器かご９の左側に収容された被洗浄物１０に真下から洗浄水を噴射することができ、様々な被洗浄物１０の形状や設置姿勢に対しても、ムラなく洗浄することができる。
【００４４】
固定洗浄ノズル５の垂直部位５ａと第１の水平部位５ｂ、固定洗浄ノズル５の垂直部位５ａと第２の水平部位５ｃ、固定洗浄ノズル５の垂直部位５ａと第３の水平部位５ｄおよび固定洗浄ノズル５の第３の水平部位５ｄと回転洗浄ノズル導水路６とは、それらが交差する部分で筒状内部が連通しており、垂直部位５ａの下方から供給される洗浄水が垂直部位５ａ、第１の水平部位５ｂ、第２の水平部位５ｃ、第３の水平部位５ｄおよび回転洗浄ノズル導水路６に送給され、各洗浄水噴射口２０ｂ、２０ｃ、７ａから噴射されるように構成されている。固定ノズル５は扁平な筒状に形成し、洗浄槽２の内壁に沿わすように形成することによって、洗浄槽２の背面から突出して被洗浄物１０の収容スペースを減少させることがない。
【００４５】
また、第２の水平部位５ｃに設けられた洗浄水噴射口２０ｃは、洗浄槽２内に収容された被洗浄物１０の上方から洗浄水を当てることができ、洗浄水噴射の主体となっている下方から噴射される洗浄水で洗浄され難い被洗浄物１０の上面部分を洗浄することができる。特に糸底のある被洗浄物１０、例えば、図１、図２に示す湯飲みのように糸底のある食器は、糸底内に細かい残菜が残りやすくなるが、これに上方から満遍なく洗浄水が噴射されることにより、細かい残菜が洗い出され、全ての面に洗浄水が行き渡る効果が得られる。また、第２の水平部位５ｃは洗浄槽２の形状に合わせ、略円弧形状であり、第１の水平部位５ｂよりも前方に配設されることにより、上段食器かご９の右側に設置される被洗浄物１０の前後位置による洗浄性能の差を小さくしている。
【００４６】
また、固定洗浄ノズル５の垂直部位５ａの第１の水平部位５ｂと交差する部位付近の流路内へ分流リブ５ｅを設けることにより、第１の水平部位５ｂ、第３の水平部位５ｄ、第３の回転洗浄ノズル７の噴射圧力を高く、第２の水平部位５ｂの噴射圧力を低くすることで、汚れの多い被洗浄物１０の内面へは高い噴射圧力で洗浄水を噴射し、高い噴射圧力のいらない被洗浄物１０の外面への噴射は低い噴射圧力とすることで、洗浄性能を向上できると同時に洗浄ポンプ１１の能力を最大限生かし、より多くの洗浄水噴射口を設けることができるため、多くの被洗浄物１０を効果的にムラなく洗浄することができる。
【００４７】
尚、本実施の形態と上段、下段食器かご９、８の被洗浄物１０の配置が異なる場合においても、分流リブ５ｅを適切に配置することで、洗浄水の噴射圧力を調整することが可能であり、同様の効果が得られる。
【００４８】
以上のように、本実施の形態に係る食器洗い機１では、洗浄ノズルとして、第１および第２の回転洗浄ノズル３、４、固定洗浄ノズル５および固定洗浄ノズル５と連通した第３の回転洗浄ノズル７が設けられており、洗浄ポンプ１１から送給される洗浄水は、分水手段１５によって上記各洗浄ノズルに対して選択的に送給される。ここでは、前述したように第１の回転洗浄ノズル３にのみ洗浄水が送給される状態、第１の回転洗浄ノズル３と第２の回転洗浄ノズル４に洗浄水が送給される状態、第２の回転洗浄ノズル４にのみ洗浄水が送給される状態、固定洗浄ノズル５とそれに連通した第３の回転洗浄ノズル７にのみ洗浄水が送給される状態、の４つの洗浄状態に分水制御される。
【００４９】
尚、固定洗浄ノズル５およびそれに連通した第３の回転洗浄ノズル７の噴射圧を高めるために、固定洗浄ノズル５に仕切りを設けて、第１の回転洗浄ノズル３にのみ洗浄水が送給される状態、第２の回転洗浄ノズル４にのみ洗浄水が送給される状態、固定洗浄ノズル５の第１の水平部位５ｂ、垂直部位５ａ下部右側、垂直部位５ａ上部および第２の水平部位５ｃに洗浄水が送給される状態、固定洗浄ノズル５の第３の水平部位５ｄおよび垂直部位５ａ下部左側のみに洗浄水が送給される状態の４つの洗浄状態に分水制御することもできる。
【００５０】
このように、複数の洗浄ノズルに選択的に洗浄水を送給することにより、複数の洗浄ノズルの全てに同時に洗浄水を送給した場合に、洗浄槽２内に溜める給水量が多くなり、使用水量の増加および温度上昇時間の増加に伴う消費電力量の増加、大型化などの問題を解消することができる。複数の洗浄ノズルに選択的に洗浄水を送給する分水手段１５は、本実施の形態のように３ヶ所の洗浄ノズルに選択的に洗浄水を送給する場合には、図５に示すような簡単な構造で、分水手段１５を構成することができる。
【００５１】
図５は、分水手段１５の構成例を模式的に示すもので、中心部に洗浄ポンプ１１から洗浄水が供給される円筒状の分水弁４０の周面上には９０度方向に２ヵ所の送水開口部４１ａ、４１ｂが開口し、紙面上方を０度として時計回りの９０度方向に第１の回転洗浄ノズル３に配管された送水配管４２、１８０度方向に、第２の回転洗浄ノズル４に配管された送水配管４３、３１５度方向に固定洗浄ノズル５およびそれに連通した第３の回転洗浄ノズル７に配管された送水配管４４がそれぞれ分水弁４０の周面に対向して配置されている。
【００５２】
分水弁４０を図示しない駆動手段により回転角度４５度毎に回動させ、図５（ａ）に示す角度位置まで回動させると、送水開口部４１ｂが送水配管４２と連通して、洗浄ポンプ１１から分水弁４０内に供給された洗浄水は、第１の回転洗浄ノズル３に送給される。
【００５３】
また、図５（ｂ）に示す角度位置まで回動させると、送水開口部４１ｂが送水配管４３と連通すると共に、送水開口部４１ａが送水配管４２と連通するので、洗浄ポンプ１１から分水弁４０内に供給された洗浄水は、第１の回転ノズル３と第２の回転洗浄ノズル４の両方に送給される。
【００５４】
また、図５（ｃ）に示す角度位置まで回動させると、送水開口部４１ａが送水配管４３と連通するので、第２の回転洗浄ノズル４のみに洗浄水が送給される。また、図５（ｄ）に示す角度位置まで、分水弁４０を回動させると、送水開口部４１ｂが送水配管４４と連通するので、固定洗浄ノズル５およびそれに連通した第３の回転洗浄ノズル７に洗浄水が送給される。
【００５５】
以上のように、分水手段１５を、上記のように構成することにより、前述した第１の回転洗浄ノズル３にのみに洗浄水が送給される状態、第１の回転洗浄ノズル３と第２の回転洗浄ノズル４の両方に洗浄水が送給される状態、第２の回転洗浄ノズル４にのみ洗浄水が送給される状態、及び固定洗浄ノズル５とそれに連通した第３の回転洗浄ノズルにのみ洗浄水が送給される状態に順次切り替えることができる。
【００５６】
尚、固定洗浄ノズル５およびそれに連通した第３の回転洗浄ノズル７の噴射圧を高めるために、固定洗浄ノズル５に仕切りを設けた場合には、図４中の分水弁４０の送水開口部４１ａ、４１ｂはどちらか一方のみを開口とし、送水配管を１ヶ所追加することになる。
【産業上の利用可能性】
【００５７】
以上のように、本発明にかかる食器洗い機は、固定洗浄ノズルを適切な形状にて構成し、被洗浄物に満遍なく洗浄水を供給することで、高い洗浄性能を得ることが可能となるので、食器洗い機に限らず、洗浄水を噴射して被洗浄物の洗浄を行う各種洗浄機器に広く適用できる。
【図面の簡単な説明】
【００５８】
【図１】本発明の実施の形態１における食器洗い機の正面から見た断面図
【図２】同食器洗い機の側面から見た断面図
【図３】同食器洗い機に設けられた複数の洗浄ノズルの配置を示す正面図
【図４】同食器洗い機の固定洗浄ノズルと回転洗浄ノズル導水路との接続構成を示す斜視図
【図５】（ａ）〜（ｄ）同食器洗い機の分水手段の動作例を示す模式図
【図６】従来の食器洗い機の正面から見た断面図
【符号の説明】
【００５９】
１      食器洗い機本体（本体）
２      洗浄槽
３      第１の回転洗浄ノズル（回転洗浄ノズル）
３ａ、４ａ、７ａ、２０ｂ、２０ｃ  噴射口
４      第２の回転洗浄ノズル（回転洗浄ノズル）
５      固定洗浄ノズル
５ａ    垂直部位
５ｂ    第１の水平部位
５ｃ    第２の水平部位
５ｄ    第３の水平部位
５ｅ    分流リブ
６      回転洗浄ノズル導水路
７      第３の回転洗浄ノズル（回転洗浄ノズル）
８      下段食器かご
９      上段食器かご
１０    被洗浄物
１１    洗浄ポンプ
１５    分水手段
【図１】
0004770564.tif 000002
【図２】
0004770564.tif 000003
【図３】
0004770564.tif 000004
【図４】
0004770564.tif 000005
【図５】
0004770564.tif 000006
【図６】
0004770564.tif 000007